【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
制御を行う際に発生する変動データを記憶する遊技制御用変動データ記憶手段を有し、遊技の進行を制御する遊技制御用マイクロコンピュータと、
制御を行う際に発生する変動データを記憶する払出制御用変動データ記憶手段を有し、遊技媒体の払出の制御を行う払出制御用マイクロコンピュータと、
遊技機への電力供給が停止していても前記遊技制御用変動データ記憶手段および前記払出制御用変動データ記憶手段の記憶内容を所定期間保持させることが可能な記憶内容保持手段と、
前記遊技制御用マイクロコンピュータが搭載された遊技制御基板および前記払出制御用マイクロコンピュータが搭載された払出制御基板で用いられる電圧を作成する電源基板と、
遊技機で使用される所定の電源の状態を監視して電源断の発生を検出したときに検出信号を出力する電源監視手段とを備え、
前記遊技制御用マイクロコンピュータは、前記検出信号の入力に応じて、前記遊技制御用変動データ記憶手段へのアクセスを禁止する処理を含む遊技制御用電力供給停止時処理を行った後に待機状態に移行し、
前記払出制御用マイクロコンピュータは、前記検出信号の入力に応じて、前記払出制御用変動データ記憶手段へのアクセスを禁止する処理を含む払出制御用電力供給停止時処理を行った後に待機状態に移行し、
前記電源監視手段が前記検出信号を出力した後の所定期間経過後に電力供給が停止していないときに、前記待機状態から復帰させるための復帰信号を出力する復帰信号出力手段を備え、
前記遊技制御用マイクロコンピュータは、前記待機状態中に前記復帰信号が入力されたときに、前記遊技制御用変動データ記憶手段の記憶内容にもとづいて制御状態を前記遊技制御用電力供給停止時処理を開始したときの状態に復帰させる遊技制御用状態復帰制御を実行し、
前記払出制御用マイクロコンピュータは、前記待機状態中に前記復帰信号が入力されたときに、前記払出制御用変動データ記憶手段の記憶内容にもとづいて制御状態を前記払出制御用電力供給停止時処理を開始したときの状態に復帰させる払出制御用状態復帰制御を実行し、
前記電源監視手段は前記電源基板に設けられ、単一の前記電源監視手段から前記遊技制御用マイクロコンピュータおよび前記払出制御用マイクロコンピュータのそれぞれに前記検出信号が分岐して出力される
ことを特徴とする遊技機。
【請求項２】
遊技機への電力供給が開始されたときに、遊技制御用マイクロコンピュータおよび払出制御用マイクロコンピュータに対して動作可能状態にするためのリセット信号を出力するリセット手段と、
遊技媒体を検出するための遊技媒体検出手段とを備え、
電源監視手段は、前記遊技媒体検出手段に供給される電圧よりも高い電圧である第１の検出電圧に低下したときに電源断が発生したとして検出信号を出力し、
前記リセット手段は、前記電源監視手段が監視する電圧と同一の電圧を監視し、該電圧が、前記電源監視手段から検出信号が出力されるときの第１の検出電圧よりも低く、遊技制御用マイクロコンピュータおよび払出制御用マイクロコンピュータの駆動電源電圧よりも高く設定され、前記電源監視手段が前記検出信号を出力した後に前記遊技制御用マイクロコンピュータおよび前記払出制御用マイクロコンピュータが遊技制御用電力供給停止時処理および払出制御用電力供給停止時処理を完了するように設定された第２の検出電圧になったときに、前記遊技制御用マイクロコンピュータおよび前記払出制御用マイクロコンピュータを動作停止状態とするための信号を出力する
請求項１記載の遊技機。
【請求項３】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、
前記第２の復帰信号出力手段が前記払出制御用マイクロコンピュータに復帰信号を出力した後に、前記第１の復帰信号出力手段が前記遊技制御用マイクロコンピュータに復帰信号を出力する
請求項１または請求項２記載の遊技機。
【請求項４】
払出制御用マイクロコンピュータによって制御され、遊技媒体の払出を行う払出手段と、前記払出手段から払い出された遊技媒体を検出するための遊技媒体検出手段とを備え、
前記払出制御用マイクロコンピュータは、電源監視手段が検出信号を出力したときに、前記遊技媒体検出手段からの検出信号の入力処理を所定の検出期間実行した後、払出制御用電力供給停止時処理を行う
請求項１から請求項３のうちのいずれかに記載の遊技機。
【請求項５】
払出制御用マイクロコンピュータは、
出力ポートを介して払出手段に駆動信号を出力し、
電源監視手段が検出信号を出力したときに、前記払出手段の駆動を停止した後、遊技媒体検出手段からの検出信号の入力処理を実行する
請求項４記載の遊技機。
【請求項６】
電源監視手段が検出信号を出力した後の、払出制御用マイクロコンピュータによる遊技媒体検出手段からの検出信号の入力処理の実行中に、払出制御用マイクロコンピュータおよび前記遊技媒体検出手段を駆動可能な電源を供給可能な補助駆動電源供給手段を備えた
請求項４または請求項５記載の遊技機。
【請求項７】
遊技媒体検出手段として、入賞に応じて払出手段から払い出された遊技媒体を検出する賞遊技媒体検出手段と、貸出要求に応じて払出手段から払い出された遊技媒体を検出する貸出遊技媒体検出手段とを別個に設けた
請求項４から請求項６のうちのいずれかに記載の遊技機。
【請求項８】
払出制御用マイクロコンピュータは、
電力供給が開始されたときに、定期的にタイマ割込が発生するように設定し、
定期的に発生するタイマ割込が生じたことにもとづいて遊技媒体の払出の制御を行うための割込処理を実行し、
払出制御用電力供給停止時処理にて、前記割込処理の実行を禁止する割込禁止状態または実行を許可する割込許可状態のうちいずれの状態であるかを示す割込状態データを前記変動データ記憶手段に保存させる処理を実行し、
電力供給が開始されたときに、前記割込状態データにもとづいて割込禁止状態または割込許可状態に復旧させる状態復旧処理を行う
請求項１から請求項７のうちのいずれかに記載の遊技機。
【請求項９】
遊技制御用マイクロコンピュータは、入賞に応じた遊技媒体の払出数を指定する払出制御コマンドを払出制御用マイクロコンピュータに送信し、
前記払出制御用マイクロコンピュータは、前記払出制御コマンドの受信に応じて、払出手段を制御して前記払出制御コマンドで指定された払出数の遊技媒体の払い出しを行い、
前記払出制御コマンドを受信しているときは、割込禁止状態に制御する
請求項８記載の遊技機。
【請求項１０】
遊技制御用マイクロコンピュータは、
電力供給が開始されたときに、定期的にタイマ割込が発生するように設定し、
定期的に発生するタイマ割込が生じたことにもとづいて遊技の進行を制御するための割込処理を実行し、
遊技制御用電力供給停止時処理にて、前記割込処理の実行を禁止する割込禁止状態または実行を許可する割込許可状態のうちいずれの状態であるかを示す割込状態データを遊技制御用変動データ記憶手段に保存させる処理を実行し、
電力供給が開始されたときに、前記割込状態データにもとづいて割込禁止状態または割込許可状態に復旧させる状態復旧処理を行う
請求項１から請求項９のうちのいずれかに記載の遊技機。
【手続補正２】
【補正対象書類名】明細書
【補正対象項目名】００１１
【補正方法】変更
【補正の内容】
【００１１】
【課題を解決するための手段】
本発明による遊技機は、遊技者が所定の遊技を行うことが可能な遊技機であって、制御を行う際に発生する変動データを記憶する遊技制御用変動データ記憶手段を有し、遊技の進行を制御する遊技制御用マイクロコンピュータと、制御を行う際に発生する変動データを記憶する払出制御用変動データ記憶手段を有し、遊技媒体の払出の制御を行う払出制御用マイクロコンピュータと、遊技機への電力供給が停止していても遊技制御用変動データ記憶手段および払出制御用変動データ記憶手段の記憶内容を所定期間保持させることが可能な記憶内容保持手段と、遊技制御用マイクロコンピュータが搭載された遊技制御基板および払出制御用マイクロコンピュータが搭載された払出制御基板で用いられる電圧を作成する電源基板と、遊技機で使用される所定の電源の状態を監視して電源断の発生を検出したときに検出信号を出力する電源監視手段とを備え、遊技制御用マイクロコンピュータは、検出信号の入力に応じて、遊技制御用変動データ記憶手段へのアクセスを禁止する処理を含む遊技制御用電力供給停止時処理を行った後に待機状態に移行し、払出制御用マイクロコンピュータは、検出信号の入力に応じて、払出制御用変動データ記憶手段へのアクセスを禁止する処理を含む払出制御用電力供給停止時処理を行った後に待機状態に移行し、電源監視手段が検出信号を出力した後の所定期間経過後に電力供給が停止していないときに、待機状態から復帰させるための復帰信号を出力する復帰信号出力手段を備え、遊技制御用マイクロコンピュータは、待機状態中に復帰信号が入力されたときに、遊技制御用変動データ記憶手段の記憶内容にもとづいて制御状態を遊技制御用電力供給停止時処理を開始したときの状態に復帰させる遊技制御用状態復帰制御を実行し、払出制御用マイクロコンピュータは、待機状態中に復帰信号が入力されたときに、払出制御用変動データ記憶手段の記憶内容にもとづいて制御状態を払出制御用電力供給停止時処理を開始したときの状態に復帰させる払出制御用状態復帰制御を実行し、電源監視手段は電源基板に設けられ、単一の電源監視手段から遊技制御用マイクロコンピュータおよび払出制御用マイクロコンピュータのそれぞれに検出信号が分岐して出力されることを特徴とする。
【手続補正３】
【補正対象書類名】明細書
【補正対象項目名】００１２
【補正方法】変更
【補正の内容】
【００１２】
遊技機への電力供給が開始されたときに、遊技制御用マイクロコンピュータおよび払出制御用マイクロコンピュータに対して動作可能状態にするためのリセット信号を出力するリセット手段と、遊技媒体を検出するための遊技媒体検出手段とを備え、電源監視手段は、遊技媒体検出手段に供給される電圧よりも高い電圧である第１の検出電圧に低下したときに電源断が発生したとして検出信号を出力し、リセット手段は、電源監視手段が監視する電圧と同一の電圧を監視し、該電圧が、電源監視手段から検出信号が出力されるときの第１の検出電圧よりも低く、遊技制御用マイクロコンピュータおよび払出制御用マイクロコンピュータの駆動電源電圧よりも高く設定され、電源監視手段が検出信号を出力した後に遊技制御用マイクロコンピュータおよび払出制御用マイクロコンピュータが遊技制御用電力供給停止時処理および払出制御用電力供給停止時処理を完了するように設定された第２の検出電圧になったときに、遊技制御用マイクロコンピュータおよび払出制御用マイクロコンピュータを動作停止状態とするための信号を出力するように構成されていてもよい。
【手続補正４】
【補正対象書類名】明細書
【補正対象項目名】００１３
【補正方法】変更
【補正の内容】
【００１３】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、第２の復帰信号出力手段が払出制御用マイクロコンピュータに復帰信号を出力した後に、第１の復帰信号出力手段が遊技制御用マイクロコンピュータに復帰信号を出力するように構成されていてもよい。
【手続補正５】
【補正対象書類名】明細書
【補正対象項目名】００１４
【補正方法】変更
【補正の内容】
【００１４】
払出制御用マイクロコンピュータによって制御され、遊技媒体の払出を行う払出手段と、払出手段から払い出された遊技媒体を検出するための遊技媒体検出手段とを備え、払出制御用マイクロコンピュータは、電源監視手段が検出信号を出力したときに、遊技媒体検出手段からの検出信号の入力処理を所定の検出期間実行した後、払出制御用電力供給停止時処理を行うように構成されていてもよい。
【手続補正６】
【補正対象書類名】明細書
【補正対象項目名】００１５
【補正方法】変更
【補正の内容】
【００１５】
払出制御用マイクロコンピュータは、出力ポートを介して払出手段に駆動信号を出力し、電源監視手段が検出信号を出力したときに、払出手段の駆動を停止した後、遊技媒体検出手段からの検出信号の入力処理を実行するように構成されていてもよい。
【手続補正７】
【補正対象書類名】明細書
【補正対象項目名】００１６
【補正方法】変更
【補正の内容】
【００１６】
電源監視手段が検出信号を出力した後の、払出制御用マイクロコンピュータによる遊技媒体検出手段からの検出信号の入力処理の実行中に、払出制御用マイクロコンピュータおよび遊技媒体検出手段を駆動可能な電源を供給可能な補助駆動電源供給手段を備えていることが好ましい。
【手続補正８】
【補正対象書類名】明細書
【補正対象項目名】００１７
【補正方法】変更
【補正の内容】
【００１７】
遊技媒体検出手段として、入賞に応じて払出手段から払い出された遊技媒体を検出する賞遊技媒体検出手段と、貸出要求に応じて払出手段から払い出された遊技媒体を検出する貸出遊技媒体検出手段とを別個に設けてもよい。
【手続補正９】
【補正対象書類名】明細書
【補正対象項目名】００１８
【補正方法】変更
【補正の内容】
【００１８】
払出制御用マイクロコンピュータは、電力供給が開始されたときに、定期的にタイマ割込が発生するように設定し、定期的に発生するタイマ割込が生じたことにもとづいて遊技媒体の払出の制御を行うための割込処理を実行し、払出制御用電力供給停止時処理にて、割込処理の実行を禁止する割込禁止状態または実行を許可する割込許可状態のうちいずれの状態であるかを示す割込状態データを変動データ記憶手段に保存させる処理を実行し、電力供給が開始されたときに、割込状態データにもとづいて割込禁止状態または割込許可状態に復旧させる状態復旧処理を行うように構成されていてもよい。
【手続補正１０】
【補正対象書類名】明細書
【補正対象項目名】００１９
【補正方法】変更
【補正の内容】
【００１９】
遊技制御用マイクロコンピュータは、入賞に応じた遊技媒体の払出数を指定する払出制御コマンドを払出制御用マイクロコンピュータに送信し、払出制御用マイクロコンピュータは、払出制御コマンドの受信に応じて、払出手段を制御して払出制御コマンドで指定された払出数の遊技媒体の払い出しを行い、払出制御コマンドを受信しているときは、割込禁止状態に制御するように構成されていてもよい。
【手続補正１１】
【補正対象書類名】明細書
【補正対象項目名】００２０
【補正方法】変更
【補正の内容】
【００２０】
遊技制御用マイクロコンピュータは、電力供給が開始されたときに、定期的にタイマ割込が発生するように設定し、定期的に発生するタイマ割込が生じたことにもとづいて遊技の進行を制御するための割込処理を実行し、遊技制御用電力供給停止時処理にて、割込処理の実行を禁止する割込禁止状態または実行を許可する割込許可状態のうちいずれの状態であるかを示す割込状態データを遊技制御用変動データ記憶手段に保存させる処理を実行し、電力供給が開始されたときに、割込状態データにもとづいて割込禁止状態または割込許可状態に復旧させる状態復旧処理を行うように構成されていてもよい。
【手続補正１２】
【補正対象書類名】明細書
【補正対象項目名】０３７９
【補正方法】変更
【補正の内容】
【０３７９】
【発明の効果】
以上のように、本発明によれば、遊技機を、遊技制御用マイクロコンピュータおよび払出制御用マイクロコンピュータが、電源監視手段によって所定の状態になったことが検出されたことを条件に変動データ記憶手段へのアクセスを禁止する処理を含む電力供給停止時処理を行った後に待機状態に移行し、待機状態中に復帰信号が入力された場合に、記憶内容保持手段により保持された記憶内容にもとづいて制御状態を復帰させる状態復帰制御を実行する構成としたので、復帰信号によって遊技制御用マイクロコンピュータおよび払出制御用マイクロコンピュータを制御実行状態に復帰させることが可能になり、その結果、ごく短時間で復旧する電源の瞬断等にもとづいて待機状態になった場合に自動的に復帰できるという効果を得ることができる。また、電源電圧が低下していくことに伴って生ずる可能性がある異常動作に起因するバックアップ記憶が格納されている領域（例えば、ＲＡＭ）の内容破壊等を確実に防止することができ、その後の電源投入時に復旧されるＲＡＭの保存データを確実に保護することができる効果がある。また、電源監視手段は電源基板に設けられ、単一の電源監視手段から遊技制御用マイクロコンピュータおよび払出制御用マイクロコンピュータのそれぞれに検出信号が分岐して出力されるので、電源監視手段から複数のマイクロコンピュータに検出信号を供給することができ、検出信号を必要とするマイクロコンピュータが幾つあっても電源監視手段は１つ設けられていればよいので、各マイクロコンピュータが復帰制御を行っても遊技機のコストはさほど上昇しない。
【手続補正１３】
【補正対象書類名】明細書
【補正対象項目名】０３８０
【補正方法】変更
【補正の内容】
【０３８０】
電源監視手段が、遊技媒体検出手段に供給される電圧よりも高い電圧である第１の検出電圧に低下したときに電源断が発生したとして検出信号を出力するように構成されているので、電源瞬断時のスイッチオン誤検出を防止することができる。また、リセット手段が、電源監視手段が監視する電圧と同一の電圧を監視し、この電圧が電源監視手段から検出信号が出力されるときの第１の検出電圧よりも低く、遊技制御用マイクロコンピュータおよび払出制御用マイクロコンピュータの駆動電源電圧よりも高く設定され、電源監視手段が検出信号を出力した後に遊技制御用マイクロコンピュータおよび払出制御用マイクロコンピュータが遊技制御用電力供給停止時処理および払出制御用電力供給停止時処理を完了するように設定された第２の検出電圧になったときに、遊技制御用マイクロコンピュータおよび払出制御用マイクロコンピュータを動作停止状態とするための信号を出力するように構成されているので、電源断状態とする前の準備処理を確実に完了することができる。
【手続補正１４】
【補正対象書類名】明細書
【補正対象項目名】０３８１
【補正方法】削除
【補正の内容】
【手続補正１５】
【補正対象書類名】明細書
【補正対象項目名】０３８２
【補正方法】削除
【補正の内容】
【手続補正１６】
【補正対象書類名】明細書
【補正対象項目名】０３８３
【補正方法】削除
【補正の内容】
【手続補正１７】
【補正対象書類名】明細書
【補正対象項目名】０３８４
【補正方法】削除
【補正の内容】
【手続補正１８】
【補正対象書類名】明細書
【補正対象項目名】０３８５
【補正方法】変更
【補正の内容】
【０３８５】
払出制御用マイクロコンピュータが、電源監視手段が検出信号を出力したときに、遊技媒体検出手段からの検出信号の入力処理を所定の検出期間実行した後、払出制御用電力供給停止時処理を行うとした場合には、検出すべき遊技媒体を検出することができ、遊技媒体数に関する適正な制御状態をバックアップ記憶することができる。
【手続補正１９】
【補正対象書類名】明細書
【補正対象項目名】０３８６
【補正方法】変更
【補正の内容】
【０３８６】
払出制御用マイクロコンピュータが、出力ポートを介して払出手段に駆動信号を出力し、電源監視手段が検出信号を出力したときに、前記払出手段の駆動を停止した後、遊技媒体検出手段からの検出信号の入力処理を実行するとした場合には、払出手段によって新たに遊技媒体が払い出されることがないようにした状態で、遊技媒体の検出を行うことができるため、遊技媒体数に関するさらに適正な制御状態をバックアップ記憶することができる。
【手続補正２０】
【補正対象書類名】明細書
【補正対象項目名】０３８７
【補正方法】変更
【補正の内容】
【０３８７】
電源監視手段が検出信号を出力した後の、払出制御用マイクロコンピュータによる遊技媒体検出手段からの検出信号の入力処理の実行中に、払出制御用マイクロコンピュータおよび遊技媒体検出手段を駆動可能な電源を供給可能な補助駆動電源供給手段を備えた場合には、遊技媒体検出手段からの検出信号の入力処理を確実に完了することができるため、適正な遊技媒体の検出処理を行うことが可能となる。
【手続補正２１】
【補正対象書類名】明細書
【補正対象項目名】０３８８
【補正方法】変更
【補正の内容】
【０３８８】
遊技媒体検出手段として、賞遊技媒体検出手段と、貸出遊技媒体検出手段とを別個に設けるとした場合には、貸出要求に応じて払い出される遊技媒体の検出と、遊技の進行に応じて払い出される遊技媒体の検出とをそれぞれ別個に行うことが可能となる。